(57)【要約】【課題】  フォーマットがされる以前のブランクディスクの著作権保護の有無を表示する光ディスク装置及び光ディスク方法を提供する。【解決手段】  光ディスクに対して記録処理及び再生処理を行なうドライブ部（２０）と、光ディスクがフォーマット処理を行なう前のブランクメディアである際に、ドライブ部が光ディスクからメディアＩＤ及びメディアキーブロック領域を検出すれば著作権保護情報が存在すると判断し、光ディスクへの記録処理のための表示情報（図５他）に著作権保護情報の有無の表示情報を含めて出力する制御部（１２）をもつ光ディスク装置。【選択図】図１
2009054222.tif 000002
【特許請求の範囲】
【請求項１】
光ディスクに対して記録処理及び再生処理を行なうドライブ部と、
前記光ディスクがフォーマット処理を行なう前のブランクメディアである際に、前記ドライブ部が前記光ディスクからメディアＩＤ及びメディアキーブロック領域を検出すれば著作権保護情報が存在すると判断し、前記光ディスクへの記録処理のための表示情報に前記著作権保護情報の有無の表示情報を含めて出力する制御部と、
を具備することを特徴とする光ディスク装置。
【請求項２】
前記制御部は、前記光ディスクの複数のフォーマット形式を表示し、指定されたフォーマット形式に対応した前記著作権保護情報の有無を示す表示情報を生成することを特徴とする請求項１記載の光ディスク装置。
【請求項３】
前記制御部は、前記光ディスクの種類を識別しこの識別結果に応じて、前記光ディスクの複数のフォーマット形式を表示する際にデフォルトのフォーマット形式を表示することを特徴とする請求項１記載の光ディスク装置。
【請求項４】
前記制御部が表示するデフォルトのフォーマット形式は、前記著作権保護情報が表示されているフォーマット形式であることを特徴とする請求項１記載の光ディスク装置。
【請求項５】
前記制御部は、前記光ディスクがメディアＩＤ及びメディアキーブロック領域を検出
しても、選択されたフォーマット形式に基づいて、前記著作権保護情報が有るとは表示しないことを特徴とする請求項１記載の光ディスク装置。
【請求項６】
前記制御部は、前記光ディスクの記録処理の制限事項を示す情報を生成することを特徴とする請求項１記載の光ディスク装置。
【請求項７】
前記制御部は、前記光ディスクがＨＤ ＤＶＤであるとき、前記著作権保護情報がＡＡＣＳであることを特徴とする請求項１記載の光ディスク装置。
【請求項８】
前記制御部は、前記光ディスクがＤＶＤであるとき、前記著作権保護情報がＣＰＲＭであることを特徴とする請求項１記載の光ディスク装置。
【請求項９】
光ディスクがフォーマット処理を行なう前のブランクメディアである際に、前記光ディスクからメディアＩＤ及びメディアキーブロック領域を検出すれば著作権保護情報が存在すると判断し、
前記光ディスクへの記録処理のために表示する画面に、前記著作権保護情報の有無を表示することを特徴とする光ディスク処理方法。
【請求項１０】
前記光ディスクへの記録処理のための表示画面に、前記光ディスクの複数のフォーマット形式を表示し、指定されたフォーマット形式に応じて、前記著作権保護情報の有無を併せて表示することを特徴とする請求項９記載の光ディスク処理方法。
【発明の詳細な説明】
【技術分野】
【０００１】
この発明は、著作権保護情報を扱う光ディスク装置であって、特にフォーマット前のブランクメディアの著作権保護情報を扱う光ディスク装置及び光ディスク処理方法に関する。
【背景技術】
【０００２】
近年、デジタル映像技術が非常に発達し普及してきており、著作権の保護が要望されてきている。光ディスク装置においても、例えば、デジタルチューナ等からのデジタル放送信号を光ディスクに記録する場合、著作権保護の対策が望まれている。
【０００３】
これに対して、特許文献１は、コピー元の映像音声情報の著作権保護情報とコピー先の記録メディアの著作権保護情報を比較し、コピーを許可する組合せか判断し、記録メディアの著作権保護情報を付加して結果を表示する技術が開示されている。
【特許文献１】特開２００６−５０１７１号公報
【発明の開示】
【発明が解決しようとする課題】
【０００４】
しかし、特許文献１の従来技術では、フォーマット済みの光ディスク等のメディアを対象に著作権保護の有無を判断するものであり、フォーマットがまだ済んでいない光ディスク等のメディアに対しては判断することができない。従って、デジタル放送等を記録するつもりで、光ディスクをフォーマットした後に、この光ディスクは著作権保護の対策が施されていないため、結局、デジタル放送を記録することができず、フォーマット処理が無駄になる場合がある。
【０００５】
本発明は、フォーマットがされる以前のブランクディスクの著作権保護の有無を表示する光ディスク装置及び光ディスク方法を提供することを目的とする。
【課題を解決するための手段】
【０００６】
課題を解決するための一実施形態は、
光ディスクに対して記録処理及び再生処理を行なうドライブ部（２０）と、
前記光ディスクがフォーマット処理を行なう前のブランクメディアである際に、前記ドライブ部が前記光ディスクからメディアＩＤ及びメディアキーブロック領域を検出すれば著作権保護情報が存在すると判断し、前記光ディスクへの記録処理のための表示情報（図５他）に前記著作権保護情報の有無の表示情報を含めて出力する制御部（１２）と、
を具備することを特徴とする光ディスク装置である。
【発明の効果】
【０００７】
フォーマットを行なう前の光ディスクに対し、著作権保護に対応でき、デジタル放送等のコピーワンスのコンテンツの記録が可能かどうかを事前にユーザに知らせることができる光ディスク装置であり、無駄なフォーマット処理を排除することができる。
【発明を実施するための最良の形態】
【０００８】
以下、この発明の実施の形態について図面を参照して詳細に説明する。
【０００９】
＜本発明の一実施形態である光ディスク装置の一例＞
次に、図面を用いて本発明の一実施形態である光ディスク装置の構成の一例を説明する。図１は、本発明の一実施形態に係る記録装置の構成の一例を示すブロック図である。図２は、本発明の一実施形態に係る記録装置のリモコン装置の一例を示す説明図である。
【００１０】
本発明の一実施形態である光ディスク装置１０は、図１において、図２に示すリモコンＲのユーザの操作や本体に設けられた操作スイッチのユーザの操作に応じて操作信号を出力する操作部１１と、操作部１１からの操作信号を受けて全体の動作を司る制御部１２と、アンテナから供給された放送信号からデジタル地上波放送やアナログ地上波放送、デジタル衛星放送、アナログ衛星放送等の放送を受信して映像音声信号を出力するチューナ部１８を有している。更に、光ディスク装置１０は、光ディスクＤ等の記録媒体にレーザ光を照射することで、情報の記録処理及び再生処理を行うディスクドライブ部２０と、コンテンツ等の記録処理や再生処理を行うためのハードディスクドライブ部２１と、チューナ部１８から映像音声信号を受け、ディスクドライブ部２０との間で映像音声信号を送受信し、ハードディスクドライブ部２１との間で映像音声信号を送受信する録再信号処理部１９を有しており、外部に設けられた、再生信号や放送信号の映像を画面に表示する表示装置２２に映像信号を供給することで映像を表示する。
【００１１】
更に、上記の制御部１２は、ブランクメディア著作権保護情報検出部１３と、ブランクメディア著作権保護情報表示処理部１４と、制限事項表示処理部１５と、選択フォーマットと著作権保護情報の比較処理部１６と、選択フォーマットに対応する著作権保護情報表示処理部１７を有している。
【００１２】
この光ディスク装置１０は、例えば、ハードディスクレコーダであり、内蔵するチューナ部１８や外部入力端子から与えられる映像音声信号をディスクドライブ部２０の光ディスクやハードディスクドライブ部２１のハードディスクに記録する。更に、ユーザの操作に応じて、光ディスクＤやハードディスクドライブ部２１のハードディスクに記録したコンテンツ等を再生して、映像音声信号を外部に出力する。
【００１３】
しかし、例えば、チューナ部１８が受信した放送信号がコピーワンスの記録制限等を含んでいるデジタル地上波の放送信号であれば、記録先の光ディスクＤが著作権保護の機能があるかどうかを事前に判断する必要がある。光ディスクＤがフォーマット済であれば、例えば、ＣＰＲＭやＡＡＣＳの著作権保護機能が備わっているかは、容易に知ることができる。しかし、光ディスクＤがフォーマット以前のものは、著作権保護情報の有無について表示されることがないために、フォーマット処理を行なった後にその光ディスクＤには記録できないことが判り、ユーザにとって無駄なフォーマット処理をしてしまう場合がある。
【００１４】
＜著作権保護情報の有無及びコンテンツコピーの可否を表示する処理＞
次に、光ディスク装置１０が、例えばデジタル放送等の記録処理を行なう場合に必要となる著作権保護情報の有無を判断する処理について以下に図面を用いて詳細に説明する。図３は、本発明の一実施形態に係る記録装置の選択フォーマットと著作権情報の有無に応じた記録フォーマット表示と説明文表示とメディア識別表示の一例の説明図である。図４は、本発明の一実施形態に係る記録装置の著作権情報表示処理の一例を示すフローチャートである。図５は、本発明の一実施形態に係る記録装置のＤＶＤのダビング方向選択画面の著作権情報有表示の一例を示す説明図である。図６は、本発明の一実施形態に係る記録装置のＨＤ ＤＶＤのダビング方向選択画面の著作権情報有表示の一例を示す説明図である。図７は、本発明の一実施形態に係る記録装置のダビング方向選択画面の著作権情報無表示の一例を示す説明図である。図８及び図９は、本発明の一実施形態に係る記録装置のフォーマット選択画面の著作権情報有表示の一例を示す説明図である。図１２は、本発明の一実施形態に係る記録装置のフォーマット選択画面の著作権情報無表示の一例を示す説明図である。図１５は、本発明の一実施形態に係る記録装置のフォーマット選択画面の著作権情報有表示の一例を示す説明図である。
【００１５】
本発明の一実施形態は、例えば、ハードディスク等に記録された著作権保護が必要なコンテンツを光ディスクＤに記録する際に、未フォーマットであるブランクディスクの光ディスクに著作権保護機能があるかどうかを示し、併せて、コンテンツが光ディスクＤに記録できるかどうかを示すものである。これにより、ブランクディスクの光ディスクＤについて、コンテンツ等の記録処理が可能かどうかを事前に説明する。すなわち、光ディスク装置１０の一例であるハードディスクレコーダにおいて、ハードディスクドライブ部２１に記録されたコピー制限付きのデジタル放送を記録したコンテンツを光ディスクＤに記録する場合の操作画面において、ブランクディスクの光ディスクＤにおける著作権保護情報の有無を表示する。
【００１６】
なお、以下の図４のフローチャートの各ステップは、回路ブロックに置き換えることができ、従って、各フローチャートのステップは、全てブロックに定義しなおすことが可能である。
【００１７】
・フォーマット済ディスクの著作権保護情報の有無・コンテンツコピー可否の表示処理
初めに、光ディスク装置１０のフォーマット済みディスクの著作権保護情報の有無及びコンテンツコピーの可否の表示処理について、説明する。
【００１８】
フォーマット済ディスクについては、制御部１２は、光ディスクＤの管理情報を読み出し、ＣＰＲＭ，ＡＡＣＳの認証が通ったメディアを著作権保護情報ありと判定する。すなわち、制御部１２は、光ディスクＤの管理領域に、『記録媒体固有のＩＤ（Identification Data）とＭＫＢ（Media Key Block）領域と記録装置の持つ［デバイスキー］とを組み合わせて生成した鍵』が記録されているかどうか（ＣＰＲＭ又はＡＡＣＳの認証が通っているか否か）を判定して、この鍵が存在する場合、著作権保護情報が有りと判定する。この判定結果は、後述するブランクディスクのダビング操作画面と同様に、フォーマット済ディスクのダビング操作画面に表示される。
【００１９】
・未フォーマットディスク（ブランクディスク）の著作権保護情報の有無・コンテンツコピー可否の表示処理
次に、光ディスク装置１０の未フォーマットディスク（ブランクディスク）の著作権保護情報の有無及びコンテンツコピーの可否の表示処理について、説明する。
【００２０】
制御部１２は、図３に示すように、光ディスクＤが未フォーマットディスク（ブランクディスク）であると判断すると、ダビング操作画面において、選択フォーマット及び著作権保護情報の有無に基づき、記録フォーマット表示、説明文表示、メディア識別表示を行なう。すなわち、選択フォーマットは、ＶＲフォーマット、ＨＤＶＲフォーマット、ＨＤ  Ｖｉｄｅｏフォーマット、Ｖｉｄｅｏフォーマットのうちのどれか、著作権保護情報は、有と無との場合があり、ここでは７通りの記録フォーマット表示、説明文表示、メディア識別表示が存在することとなる。
【００２１】
この操作の手順を図４のフローチャートを用いて以下に詳細に述べる。すなわち、制御部１２は、光ディスクＤがディスクドライブ部２０に挿入され、ユーザの操作により操作部１１からダビング処理を行なうとの操作信号を受けると、その光ディスクＤがフォーマット済みか未フォーマットディスク（ブランクディスク）を判断する。そして、制御部１２は、フォーマット済みであれば、上述したように、光ディスクＤの管理領域に、『記録媒体固有のＩＤ（Identification Data）とＭＫＢ（Media Key Block）領域と記録装置の持つ［デバイスキー］とを組み合わせて生成した鍵』が存在するかを判断する。そして、存在すれば認証は得られており、著作権保護情報が存在するとして、この判断結果をダビング操作画面に反映させる。
【００２２】
しかし、制御部１２は、光ディスクＤが未フォーマットディスク（ブランクディスク）であると判断すると、図４に示すフローチャートが示すように、ブランクメディア著作権保護情報検出部１３が、光ディスクＤの管理領域に、メディアＩＤとＭＫＢ（Media Key Block）領域の両者を検出する（ステップＳ１１）。そして、ブランクメディア著作権保護情報検出部１３は、両者を揃って検出すれば（ステップＳ１２）、著作権保護情報が存在すると判断する。
【００２３】
次に、制御部２は、その光ディスクＤの種別を判断し（ステップＳ１３）、光ディスクＤがＤＶＤならステップＳ１４に進み、ブランクメディア著作権保護情報表示処理部１４の働きにより、図５に示すようなフォーマット選択画面において、例えば、ＣＰＲＭ表示等の著作権保護情報有を伴うダビング方向選択画面の表示を行なう（ステップＳ１４）。図５の画面では、ダビングの先が選択されると共に、未フォーマットの光ディスクＤが著作権保護情報を有しているかが表示される。
【００２４】
その後、ダビング先が特定されると、ブランクメディア著作権保護情報表示処理部１４の働きにより、図８に示すような、例えば、ＣＰＲＭ表示等の著作権保護情報有を伴うフォーマット選択画面を表示する（ステップＳ１５）。この図８のフォーマット選択画面では、光ディスクＤがＤＶＤであり、このディスク種類に応じて、著作権保護情報が表示されているフォーマット形式である、ＶＲフォーマットをデフォルト１０２として表示している。
【００２５】
なお、次にユーザが図９に示すようにデフォルトのフォーマットではなく、例えば『Ｖｉｄｅｏフォーマット』１０３を選択すると、制御部１２の選択フォーマットと著作権保護情報の比較処理部１６及び選択フォーマットに対応する著作権保護情報表示処理部１７の働きにより、著作権保護情報無が表示され、説明情報において、『ＤＶＤプレーヤーなどで再生出来ます。（ファイナライズ処理が必要です。）二カ国語の音声は片方の音声のみ記録できます。』という表示と共に、著作権保護情報無に基づく『デジタル放送の記録ができません』との表示がなされる。これにより、ユーザは、フォーマットを変更したことにより、著作権保護情報無になり、デジタル放送の記録ができなくなったことを理解する。
【００２６】
一方、ステップＳ１３において、光ディスクＤがＨＤ ＤＶＤならステップＳ１６に進み、ブランクメディア著作権保護情報表示処理部１４の働きにより、図６に示すようなフォーマット選択画面において、例えば、ＡＡＣＳ表示等の著作権保護情報有を伴うダビング方向選択画面の表示を行なう（ステップＳ１６）。図６の画面では、ダビングの先が選択されると共に、未フォーマットの光ディスクＤが著作権保護情報を有しているかが表示される。
【００２７】
その後、ダビング先が特定されると、ブランクメディア著作権保護情報表示処理部１４の働きにより、図１５に示すような、例えば、ＡＡＣＳ表示等の著作権保護情報有を伴うフォーマット選択画面を表示する（ステップＳ１７）。この図１５のフォーマット選択画面では、光ディスクＤがＨＤ ＤＶＤであり、このディスク種類に応じて、著作権保護情報が表示されているフォーマット形式である、ＨＤＶＲフォーマットをデフォルトとして表示している。
【００２８】
一方、ステップＳ１２において、ブランクメディア著作権保護情報検出部１３が、メディアＩＤとＭＫＢ（Media Key Block）領域の両者を検出できなかった場合（片方しか検出できない又は両方とも検出できない場合）は、ステップＳ１８に進む。そして、ブランクメディア著作権保護情報表示処理部１４の働きにより、図７に示すようなフォーマット選択画面において、例えば、ＡＡＣＳ表示等の著作権保護情報無を伴うダビング方向選択画面の表示を行なう（ステップＳ１８）。図７の画面では、ダビングの先が選択されると共に、未フォーマットの光ディスクＤが著作権保護情報を有しているかが表示され、同時に制限事項説明文も表示される。
【００２９】
その後、ダビング先が特定されると、ブランクメディア著作権保護情報表示処理部１４の働きにより、図１２に示すような、例えば、ＡＡＣＳ表示等の著作権保護情報無を伴うフォーマット選択画面を表示する（ステップＳ１９）。この図１２のフォーマット選択画面では、著作権保護情報無により、使用制限があることを表示している。
【００３０】
次に、制御部１２及び選択フォーマットと著作権保護情報の比較処理部１６は、ユーザの操作によりフォーマットが確定すると、その選択されたフォーマットに応じて、各ステップＳ２１、ステップＳ２３、ステップＳ２５、ステップＳ２７、ステップＳ２９、ステップＳ３１、ステップＳ３３に示す各パーツ選択画面の表示を行なう。これらの画面でも、著作権保護情報の有無が示され、この画面では、コピーすべきパーツが特定される。
【００３１】
最後に、各ステップＳ２２、ステップＳ２４、ステップＳ２６、ステップＳ２８、ステップＳ３０、ステ乃至Ｓ３２、ステップＳ３４に示す各実行確認画面の表示を行なう。これらの画面でも、著作権保護情報の有無が示され、この画面では、最終的なダビング処理を実行するとの指示がユーザからあるかどうかを確認する。
【００３２】
このように、本発明の一実施形態である光ディスク装置１０においては、フォーマットを行なう前の光ディスク（ブランクメディア）に関し、著作権保護に対応でき、デジタル放送等のコピーワンスのコンテンツの記録が可能かどうかを事前にユーザに知らせることができる。これにより、無駄なフォーマット処理を排除することができる。
【００３３】
＜ダビング操作画面＞
次に、フォーマット選択後のダビング操作画面について、以下、各々図面を用いて説明する。図１０は、ＶＲフォーマット時のパーツ選択画面の著作権情報有表示の一例を示す説明図である。図１１は、ＶＲフォーマット時の実行確認画面の著作権情報有表示の一例を示す説明図である。図１３は、ＶＲフォーマット時のパーツ選択画面の著作権情報無表示の一例を示す説明図である。図１４は、ＶＲフォーマット時の実行確認画面の著作権情報無表示の一例を示す説明図である。図１６は、ＨＤＶＲフォーマット時のパーツ選択画面の著作権情報有表示の一例を示す説明図である。図１７は、ＨＤＶＲフォーマット時の実行確認画面の著作権情報有表示の一例を示す説明図である。図１９は、ＨＤＶＲフォーマット時のパーツ選択画面の著作権情報無表示の一例を示す説明図である。図２０は、ＨＤＶＲフォーマット時の実行確認画面の著作権情報無表示の一例を示す説明図である。図２２は、ＨＤＶｉｄｅｏフォーマット時のパーツ選択画面の著作権情報有表示の一例を示す説明図である。図２３は、ＨＤＶｉｄｅｏフォーマット時の実行確認画面の著作権情報有表示の一例を示す説明図である。図２５は、ＨＤＶｉｄｅｏフォーマット時のパーツ選択画面の著作権情報無表示の一例を示す説明図である。図２６は、ＨＤＶｉｄｅｏフォーマット時の実行確認画面の著作権情報無表示の一例を示す説明図である。図２８は、Ｖｉｄｅｏフォーマット時のパーツ選択画面の著作権情報無表示の一例を示す説明図である。図２９は、Ｖｉｄｅｏフォーマット時の実行確認画面の著作権情報無表示の一例を示す説明図である。
【００３４】
上述した制御部１２及びブランクメディア著作権保護情報検出部１３、ブランクメディア著作権保護情報表示処理部１４、制限事項表示処理部１５、選択フォーマットと著作権保護情報の比較処理部１６、選択フォーマットに対応する著作権保護情報表示処理部１７が生成するダビング操作画面の各々を以下に詳細に説明する。
【００３５】
・ＶＲフォーマット
初めに、ＶＲフォーマット選択時について、著作権保護情報有の場合のパーツ選択画面と実行確認画面を説明する。制御部１２は、図８のフォーマット選択画面からフォーマットが特定された後に（ステップＳ２０）、図１０に示すパーツ選択画面を生成して、ダビングされるべきパーツを特定する（ステップＳ２１）。この画面においても、ＣＰＲＭ表示等の著作権保護情報有が表示される。
【００３６】
更に、制御部１２は、図１０のパーツ選択画面でダビングされるべきパーツが特定された後に、図１１の実行確認画面において、最終的にダビング処理の内容を表示し、ユーザによる選択実行を待機する（ステップＳ２２）。この画面においても、ＣＰＲＭ表示等の著作権保護情報有が表示される。
【００３７】
・ＶＲフォーマット
次に、ＶＲフォーマット選択時について、著作権保護情報無の場合のパーツ選択画面と実行確認画面を説明する。制御部１２は、図１５のフォーマット選択画面からフォーマットが特定された後に、図１６に示すパーツ選択画面を生成して、ダビングされるべきパーツを特定する（ステップＳ２３）。この画面においても、著作権保護情報無を表示し、更に、著作権情報がない場合の記録の制限事項説明文を表示する。
【００３８】
更に、制御部１２は、図１３のパーツ選択画面でダビングされるべきパーツが特定された後に、図１４の実行確認画面において、最終的にダビング処理の内容を表示し、ユーザによる選択実行を待機する（ステップＳ２４）。この画面においても、著作権保護情報無を表示し、更に、著作権情報がない場合の記録の制限事項説明文を表示する。
【００３９】
・ＨＤＶＲフォーマット
次に、ＨＤＶＲフォーマット選択時について、著作権保護情報有の場合のパーツ選択画面と実行確認画面を説明する。制御部１２は、図１５のフォーマット選択画面からフォーマットが特定された後に、図１６に示すパーツ選択画面を生成して、ダビングされるべきパーツを特定する（ステップＳ２５）。
【００４０】
更に、制御部１２は、図１６のパーツ選択画面でダビングされるべきパーツが特定された後に、図１７の実行確認画面において、最終的にダビング処理の内容を表示し、ユーザによる選択実行を待機する（ステップＳ２６）。この画面においても、ＡＡＣＳ表示等の著作権保護情報有が表示される。
【００４１】
・ＨＤＶＲフォーマット
次に、ＨＤＶＲフォーマット選択時について、著作権保護情報無の場合のパーツ選択画面と実行確認画面を説明する。著作権保護情報有の場合のパーツ選択画面と実行確認画面を説明する。制御部１２は、図１８のフォーマット選択画面からフォーマットが特定された後に、図１９に示すパーツ選択画面を生成して、ダビングされるべきパーツを特定する（ステップＳ２７）。この画面においても、著作権保護情報無を表示し、更に、著作権情報がない場合の記録の制限事項説明文を表示する。
【００４２】
更に、制御部１２は、図１９のパーツ選択画面でダビングされるべきパーツが特定された後に、図２０の実行確認画面において、最終的にダビング処理の内容を表示し、ユーザによる選択実行を待機する（ステップＳ２８）。この画面においても、著作権保護情報無を表示し、更に、著作権情報がない場合の記録の制限事項説明文を表示する。
【００４３】
・ＨＤＶｉｄｅｏフォーマット
次に、ＨＤＶｉｄｅｏフォーマット選択時について、著作権保護情報有の場合のパーツ選択画面と実行確認画面を説明する。制御部１２は、図２１のフォーマット選択画面からフォーマットが特定された後に、図２２に示すパーツ選択画面を生成して、ダビングされるべきパーツを特定する（ステップＳ２９）。この画面においても、ＡＡＣＳ表示等の著作権保護情報有が表示される。
【００４４】
更に、制御部１２は、図２２のパーツ選択画面でダビングされるべきパーツが特定された後に、図２３の実行確認画面において、最終的にダビング処理の内容を表示し、ユーザによる選択実行を待機する（ステップＳ３０）。この画面においても、ＡＡＣＳ表示等の著作権保護情報有が表示される。
【００４５】
・ＨＤＶｉｄｅｏフォーマット
次に、ＨＤＶｉｄｅｏフォーマット選択時について、著作権保護情報無の場合のパーツ選択画面と実行確認画面を説明する。制御部１２は、図２４のフォーマット選択画面からフォーマットが特定された後に、図２５に示すパーツ選択画面を生成して、ダビングされるべきパーツを特定する（ステップＳ３１）。この画面においても、著作権保護情報無を表示し、更に、著作権情報がない場合の記録の制限事項説明文を表示する。
【００４６】
更に、制御部１２は、図２５のパーツ選択画面でダビングされるべきパーツが特定された後に、図２６の実行確認画面において、最終的にダビング処理の内容を表示し、ユーザによる選択実行を待機する（ステップＳ３２）。この画面においても、著作権保護情報無を表示し、更に、著作権情報がない場合の記録の制限事項説明文を表示する。
【００４７】
・Ｖｉｄｅｏフォーマット
次に、Ｖｉｄｅｏフォーマット選択時について、パーツ選択画面と実行確認画面を説明する。Ｖｉｄｅｏフォーマットでは、著作権保護情報は常に無とされる。制御部１２は、図２７のフォーマット選択画面からフォーマットが特定された後に、図２８に示すパーツ選択画面を生成して、ダビングされるべきパーツを特定する（ステップＳ３３）。この画面においても、著作権保護情報無が表示される。
【００４８】
更に、制御部１２は、図２８のパーツ選択画面でダビングされるべきパーツが特定された後に、図２９の実行確認画面において、最終的にダビング処理の内容を表示し、ユーザによる選択実行を待機する（ステップＳ３４）。この画面においても、著作権保護情報無が表示される。
【００４９】
このように、本発明に係る一実施形態である光ディスク装置１０では、ダビング機能を選択後、ダビングの方向選択画面で、フォーマット処理を行なう前のブランクメディアである光ディスクＤが著作権情報対応メディアかどうか判定することが可能である。すなわち、挿入したメディアの著作権保護情報の表示を確認できることにより、ユーザは、コピーワンスタイトルに対し、フォーマット前の光ディスクでも、録画、ダビングできるメディアの識別が可能になり、ユーザの装置に対する理解と操作を向上させることが可能となる。
【００５０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５１】
【図１】本発明の一実施形態に係る記録装置の構成の一例を示すブロック図。
【図２】本発明の一実施形態に係る記録装置のリモコン装置の一例を示す説明図。
【図３】本発明の一実施形態に係る記録装置の選択フォーマットと著作権情報の有無に応じた記録フォーマット表示と説明文表示とメディア識別表示の一例の説明図。
【図４】本発明の一実施形態に係る記録装置の著作権情報表示処理の一例を示すフローチャート。
【図５】本発明の一実施形態に係る記録装置のＤＶＤのダビング方向選択画面の著作権情報有表示の一例を示す説明図。
【図６】本発明の一実施形態に係る記録装置のＨＤ ＤＶＤのダビング方向選択画面の著作権情報有表示の一例を示す説明図。
【図７】本発明の一実施形態に係る記録装置のダビング方向選択画面の著作権情報無表示の一例を示す説明図。
【図８】本発明の一実施形態に係る記録装置のフォーマット選択画面の著作権情報有表示の一例を示す説明図。
【図９】本発明の一実施形態に係る記録装置のフォーマット選択画面の著作権情報有表示の他の一例を示す説明図。
【図１０】本発明の一実施形態に係る記録装置のパーツ選択画面の著作権情報有表示の一例を示す説明図。
【図１１】本発明の一実施形態に係る記録装置の実行確認画面の著作権情報有表示の一例を示す説明図。
【図１２】本発明の一実施形態に係る記録装置のフォーマット選択画面の著作権情報無表示の一例を示す説明図。
【図１３】本発明の一実施形態に係る記録装置のパーツ選択画面の著作権情報無表示の一例を示す説明図。
【図１４】本発明の一実施形態に係る記録装置の実行確認画面の著作権情報無表示の一例を示す説明図。
【図１５】本発明の一実施形態に係る記録装置のフォーマット選択画面の著作権情報有表示の一例を示す説明図。
【図１６】本発明の一実施形態に係る記録装置のパーツ選択画面の著作権情報有表示の一例を示す説明図。
【図１７】本発明の一実施形態に係る記録装置の実行確認画面の著作権情報有表示の一例を示す説明図。
【図１８】本発明の一実施形態に係る記録装置のフォーマット選択画面の著作権情報無表示の一例を示す説明図。
【図１９】本発明の一実施形態に係る記録装置のパーツ選択画面の著作権情報無表示の一例を示す説明図。
【図２０】本発明の一実施形態に係る記録装置の実行確認画面の著作権情報無表示の一例を示す説明図。
【図２１】本発明の一実施形態に係る記録装置のフォーマット選択画面の著作権情報有表示の一例を示す説明図。
【図２２】本発明の一実施形態に係る記録装置のパーツ選択画面の著作権情報有表示の一例を示す説明図。
【図２３】本発明の一実施形態に係る記録装置の実行確認画面の著作権情報有表示の一例を示す説明図。
【図２４】本発明の一実施形態に係る記録装置のフォーマット選択画面の著作権情報無表示の一例を示す説明図。
【図２５】本発明の一実施形態に係る記録装置のパーツ選択画面の著作権情報無表示の一例を示す説明図。
【図２６】本発明の一実施形態に係る記録装置の実行確認画面の著作権情報無表示の一例を示す説明図。
【図２７】本発明の一実施形態に係る記録装置のフォーマット選択画面の著作権情報無表示の一例を示す説明図。
【図２８】本発明の一実施形態に係る記録装置のパーツ選択画面の著作権情報無表示の一例を示す説明図。
【図２９】本発明の一実施形態に係る記録装置の実行確認画面の著作権情報無表示の一例を示す説明図。
【符号の説明】
【００５２】
１２…制御部、１３…ブランクメディア著作権保護情報検出部、１４…ブランクメディア著作権保護情報表示処理部、１５…制限事項表示処理部、１６…選択フォーマットと著作権保護情報の比較処理部、１７…著作権保護情報表示処理部。
【図１】
2009054222.tif 000003
【図２】
2009054222.tif 000004
【図３】
2009054222.tif 000005
【図４】
2009054222.tif 000006
【図５】
2009054222.tif 000007
【図６】
2009054222.tif 000008
【図７】
2009054222.tif 000009
【図８】
2009054222.tif 000010
【図９】
2009054222.tif 000011
【図１０】
2009054222.tif 000012
【図１１】
2009054222.tif 000013
【図１２】
2009054222.tif 000014
【図１３】
2009054222.tif 000015
【図１４】
2009054222.tif 000016
【図１５】
2009054222.tif 000017
【図１６】
2009054222.tif 000018
【図１７】
2009054222.tif 000019
【図１８】
2009054222.tif 000020
【図１９】
2009054222.tif 000021
【図２０】
2009054222.tif 000022
【図２１】
2009054222.tif 000023
【図２２】
2009054222.tif 000024
【図２３】
2009054222.tif 000025
【図２４】
2009054222.tif 000026
【図２５】
2009054222.tif 000027
【図２６】
2009054222.tif 000028
【図２７】
2009054222.tif 000029
【図２８】
2009054222.tif 000030
【図２９】
2009054222.tif 000031